(57)【特許請求の範囲】
【請求項１】
緩衝機能性フィルムを緩衝材として用いて商品を衝撃から保護する包装体であって、少なくともトレイ状の商品収納部と前記緩衝機能性フィルムが窓貼りされた中枠部とを折れ線で連結してなるカートンブランクを組み立てて形成され、前記商品収納部の所定の位置に、周辺に折り返し片を設け、内側には４枚の傾斜板が設けられた中仕切部用のブランクと、別に用意されている固定板とを組立ててなる中仕切によって固定された前記商品を前記緩衝機能性フィルムが緊張状態で当接する位置に前記中枠部が前記商品収納部と対向して保持されてなることを特徴とする緩衝機能付き包装体。
【請求項２】
前記商品収納部が、被せ蓋部によって被覆されてなることを特徴とする請求項１に記載の緩衝機能付き包装体。
【請求項３】
前記商品収納部が、打ち抜き窓を有する被せ蓋部によって被覆されてなることを特徴とする請求項１に記載の緩衝機能付き包装体。
【請求項４】
前記商品収納部と前記被せ蓋部の重なり合う側板に把手が形成されてなることを特徴とする請求項２又は３に記載の緩衝機能付き包装体。
【発明の詳細な説明】
【０００１】
【発明の属する技術分野】
本発明は、電子機器、精密機器、ガラス、陶磁器製品等を物流あるいは持ち運び中に受ける衝撃から保護する緩衝機能性のある包装体に関する。
【０００２】
【従来の技術】
従来から、電子機器、精密機器、ガラス、陶磁器製品等の商品に対して物流時に商品が受ける衝撃から商品を保護するために包装材自体に緩衝機能のある段ボールを使用するばかりか、商品と段ボールとの間に発泡性プラスチック、パルプモールド製品等種々の緩衝材が使用されている。
また、商品の区画、底上げ等に使用される中仕切、ゲスも緩衝機能を有しており、主として複数個の商品が詰め合わされるギフト商品、キットとしての組合せ商品等に多用されている。
【０００３】
【発明が解決しようとする課題】
しかしながら、商品の形状に応じて成形された発泡性プラスチックやパルプモールド製品等の緩衝材を使用することは、コスト高になるばかりか、ストックスペースを必要としたり、使用後の廃棄や処理が容易でないという問題がある。また、商品に対する緩衝効果を高めるためには、商品全体を上記のような緩衝材で被覆せざるを得ないので、一旦そのように包装されると消費者あるいは販売者にとって中身を透視できないという不便さがある。
一方、中仕切あるいはゲスだけでは、水平方向に商品を固定することはできても、緩衝機能は満足されないという問題がある。
本発明は、前述の問題点に鑑みてなされたもので、従来の緩衝材を排除して緩衝機能性フィルムを使用して、使用時以外は折り畳んで収納することができ、しかも商品を透視できる、低コストな緩衝機能性のある包装体の提供を目的とする。
【０００４】
【課題を解決するための手段】
前記課題を解決するために本発明による緩衝機能付き包装体は、緩衝機能性フィルムを緩衝材として用いて商品を衝撃から保護する包装体であって、少なくともトレイ状の商品収納部と前記緩衝機能性フィルムが窓貼りされた中枠部とを折れ線で連結してなるカートンブランクを組み立てて形成され、前記商品収納部の所定の位置に、周辺に折り返し片を設け、内側には４枚の傾斜板が設けられた中仕切部用のブランクと、別に用意されている固定板とを組立ててなる中仕切によって固定された前記商品を前記緩衝機能性フィルムが緊張状態で当接する位置に前記中枠部が前記商品収納部と対向して保持されてなることを構成とするものである。さらに、前記商品収納部が、被せ蓋部によって被覆されてなること、あるいは打ち抜き窓を有する被せ蓋部によって被覆されてなることを構成とする。さにまた、前記商品収納部と前記被せ蓋部の重なり合う側板に把手が形成されてなることを構成とする。
【０００５】
【発明の実施の形態】
以下，本発明を図面を用いてさらに詳しく説明する。
図１は、本発明による緩衝機能付き包装体の実施例１のカートンブランク展開図である。
本発明による緩衝機能付き包装体の実施例１は、次の三つの部分から構成されている。
Ａ  商品収納部
Ｂ  中枠部
Ｃ  中仕切部
ここで、「中仕切」なる用語は、単に商品を箱内で区画して水平方向に固定するだけでなく、一般に箱内で商品の下側にも折り込まれて、商品を持ち上げるように作用する所謂「ゲス」の機能を合わせ持つものとして使用する。
実施例１のカートンブランク１０−１は、図１に示すように、底板１の４辺に折線ａを介して側板２を連接し、その中の３枚に２重の折線ｂを介して折り込み片３を延設してなる商品収納部Ａと、打ち抜き窓の周辺に緩衝機能性フィルムＦを窓貼りした中枠４とその４辺に折り返し片５を折線ｃを介して連接してなる中枠部Ｂとを折線ｄで連接してなるカートンブランクに、別体となっている中仕切部Ｃ用のブランクを加えてなるものである。
なお、前記折り込み片３の外辺には突起片ｔが設けられ、中枠部Ｂの折線ｃ上には切り込みｋが設けられている。
中仕切部Ｃ用のブランクは、中仕切板６の周辺に折り返し片７を設け、内側には４枚の傾斜板８が設けられ、固定板９が別に用意されている。
【０００６】
図２は、本発明による緩衝機能付き包装体の実施例１の組立図とその断面図である。
実施例１の本発明による緩衝機能付き包装体２０−１の組み立ては、次の方法によって行う。
先ず、図１に示すカートンブランク１０−１の中仕切部Ｃの折り返し片７を裏側に９０°折り返して中仕切板６を持ち上げた状態にしておき、商品収納部Ａの４枚の側板２を９０°上方に折り返して、底板１上に組み立てた中仕切部Ｃを置き、中仕切部Ｃの中央の４枚の傾斜板８を下方に折り曲げて傾斜板８の端縁によって囲まれるスペースに丁度嵌まる固定板９を置いて傾斜板８を固定し、傾斜板８上に商品イを搭載する。
次いで、中枠部の４方の折り返し片５を中枠板４に対して下方に９０°折り返し、中枠部Ｂを商品収納部Ａ側に折線ｄで１８０°折り畳んで、緩衝機能性フィルムＦが商品イに上から当接するようにして、最後に商品収納部Ａの３枚の折り込み片３を折線ｂで内側に１８０°折り畳み、先端の突起片ｔを中枠板４の周辺の切り込みｋに差し込んでロックすれば、組み立ては完成し、図２（ａ）に示すような外観となる。
また、図２（ｂ）は、この組立図の長手方向の中央断面図である。当図から分かるように、商品イは中仕切部Ｃと緩衝機能性フィルムＦとによって挟まれて上下左右方向の衝撃から守られている。
実施例１の本発明による緩衝機能付き包装体２０−１は、商品イを透明な緩衝機能性フィルムＦを通して透視することができるので、単なる衝撃吸収機能だけでなく、緩衝包装したままでの商品ディスプレー効果に優れている。
また、構造的に軽量な商品に向いている。
【０００７】
図３は、本発明による緩衝機能付き包装体の参考例１のカートンブランク展開図である。参考例１の緩衝機能付き包装体のカートンブランク１０−２は、次の４部分から構成されている。
Ａ  商品収納部
Ｂ  中枠部
Ｃ  中仕切部
Ｄ  被せ蓋部
参考例１のカートンブランク１０−２は、図３に示すように、底板１の４辺に折線ａを介して４枚の側板２が連接された商品収納部Ａの左右側板２の一方の端辺に折線ｄを介して実施例１と略同様な中枠部Ｂを連接し、もう一方の側板２の端辺に折線ｆを介して、天板１１の３方に側板１２を折線ｅを介して連接してなる被せ蓋部Ｄを連接したものに、中仕切部Ｃを別体として組み合わせたものである。この場合の中仕切部Ｃは、所定の厚みを有し、商品収納部Ａの底板１上に敷かれる発泡プラスチックシートＳである。この発泡プラスチックシートは、商品を固定し易くするために商品から受ける圧力で若干変形する程度の柔軟性を有していることが好ましい。
【０００８】
図４は、本発明による緩衝機能付き包装体の参考例１の組立図とその断面図である。参考例１の緩衝機能付き包装体２０−２の組み立ては、次の方法によって行う。先ず、図３に示すカートンブランク１０−３の商品収納部Ａの底板１の上に、中仕切部Ｃとして使用される発泡プラスチックシートＳを敷いて、その上に商品ロ、ハを所定の位置関係で設置する。次いで、中枠部Ｂの４方の折り返し片５を中枠板４に対して折線ｃで下方に９０°折り返し、次いで、中枠部Ｂを商品収納部Ａ側に隣接する折線ｄ、ａでそれぞれ９０°折り返して緩衝機能性フィルムＦが商品ロ、ハに上から当接するようにし、今度は被せ蓋部Ｄの天板１１を隣接する折線ａ，ｆでそれぞれ９０°折り返して商品収納部Ａ上に被せ、半ば浮き上がっている中枠部Ｂを下方に押さえ付けながら商品収納部Ａの上下側板２を上方に９０°折り返して糊代１３で接着してトレイを形成し、次いで、被せ蓋部Ｄの３枚の側板１２を折り返して糊代１４、１５と接着して被せ蓋部Ｄを成形し、最後に、差し込み片１６を底板１の端辺に設けられている切り込み１７に差し込む。図４（ａ）は、一旦組み込まれた参考例１の緩衝機能付き包装体２０−２の被せ蓋部Ｄと中枠部Ｂを開いた状態を示している。また、図２（ｂ）は、組立られた実施例１の緩衝機能付き包装体２０−２の長手方向の中央断面図である。当図から分かるように、商品ロ、ハは、発泡プラスチックＳと緩衝機能性フィルムＦとによって挟まれて上下左右方向の衝撃から保護されている。参考例１の場合は、通常の中仕切では位置決めしにくい円形や不定型の商品に対して効果的に使用される。また、実施例１と同様に商品は比較的軽量の方が好ましい。
【０００９】
図５は、本発明による緩衝機能付き包装体の参考例２のカートンブランク展開図である。参考例２の緩衝機能付き包装体のカートンブランク１０−３は、次の４部分から構成されて、さらに、把手が取り付けられている。
Ａ  商品収納部
Ｂ  中枠部
Ｃ  中仕切部
Ｄ  被せ蓋部
参考例２のカートンブランク１０−３は、図５に示すように、底板１の４辺に折線ａを介して４枚の側板２が連接され、窓Ｍが打ち抜かれた天板１１とその３辺に折線ｅを介して連接された側板１２からなる被せ蓋部Ｄを折線ｆを介して商品収納部Ａに連接してなるものに、別体として、中枠４の４辺に折り返し辺５を連接し、中央の打ち抜き窓に緩衝機能性フィルムＦを窓貼りした中枠部Ｂとさらに厚手の段ボールが中央の折線ｇで二つ折されそれぞれの面に折線ｇに対して対称にあるいは一方にのみ商品底部形状に合わせて打ち抜かれた打ち抜き穴Ｕを有する中仕切部Ｃが別体として加わったものである。
【００１０】
図６は、本発明による緩衝機能付き包装体の参考例２の組立図とその断面図である。参考例２の緩衝機能付き包装体２０−３の組み立ては、次の方法によって行う。先ず、図５に示すカートンブランク１０−３の商品収納部Ａの底板１の上に、中仕切部Ｃを折線ｇで二つ折してのせる。次いで、打ち抜き穴Ｕによって形成される窪みに商品ニ、ホを嵌め込み、その上から、折り返し片５を上に９０°折り返した中枠部Ｂを商品ニ、ホ上部から当接させ、その上から打ち抜き窓を有する被せ蓋部Ｄを折線ａ，ｆによってそれぞれ９０°商品収納部Ａと平行になるまで折り返し、この状態で側板２と糊代１３を折り返して接着させて商品収納部Ａをトレイ状に成形し、その上から側板１２、糊代１４を折り返して接着し被せ蓋部Ｄを成形する。また左右側板２、１２に設けられている把手１８を９０°折り返して２重にして小折り返し片１９で把手１８の内側に巻き込めば組立は完了する。図４（ａ）は、一旦組立られた参考例２の緩衝機能付き包装体２０−３の被せ蓋部Ｄを開いた状を示している。また、図４（ｂ）は、組立られた実施例３の本発明による緩衝機能付き包装体２０−３の長手方向の中央断面図である。当図から分かるように、商品ホ、ニは、厚手の中仕切部Ｃによって所定の位置に固定され、上方は緩衝機能性フィルムＦとによって押さえ込まれて衝撃から保護されている。また、参考例２の緩衝機能付き包装体２０−３は、被せ蓋部Ｄを施した状態でも充分中身商品ニ、ホを透明な緩衝機能性フィルムを通して透視することができるので、被せ蓋付きの緩衝包装でありながら商品ディスプレー効果を持たせることができる。参考例２の場合は、中仕切部Ｃに複ダンボールのような厚みのあるものを使用できるので、商品の図面における横方向の固定がしっかりしており、重量のある商品に対しても適用が可能である。
【００１１】
衝撃吸収性フィルムＦは引張弾性が大きく、且つ引張強さのある透明なプラスチック素材が好適に使用される。その物性は、商品の重量、商品のトップの形状、コスト等を勘案して適宜選択して用いることができる。素材的には、ポリオレフィン系樹脂が一般的であるが、ポリウレタンエラストマー等のフィルムも好適に使用することができる。
商品収納部Ａ、中枠部Ｂ、中仕切部Ｃのカートンブランクの素材については、対象となる商品の大きさ、形状、重さ等によって異なるが、比較的厚手の板紙、Ｅフルート段ボール等さらにＡあるいはＢフルートダンボール等、さらに中仕切部Ｃには複段ボール、発泡プラスチックシート等を使用することができる。
【００１２】
【発明の効果】
本発明によれば、中仕切部Ｃと中枠部Ｂに窓貼りされた透明な衝撃吸収性フィルムＦによって商品を保持することによって、幅広い商品形状に対応できる汎用性を持たせることができ、使用時以外は折り畳んで収納しておけるのでストックスペースを大幅に省くことができ、また、内部の商品をかなりの面積で透視させることができるので緩衝包装をしたままの状態で優れたディスプレー効果を持たせることができる。
しかも商品収納部Ａ，中枠部Ｂ，中仕切部Ｃ，被せ蓋部Ｄの４種のコンポーネントを種々組み合わせることによって、商品のサイズ、形態、重量等に応じた物流に適した通箱、持ち運びに便利な手提げ鞄タイプ等種々の形態の緩衝機能付き包装体を経済コストで提供することができる。
【図面の簡単な説明】
【図１】本発明による緩衝機能付き包装体の実施例１のカートンブランク展開図
【図２】本発明による緩衝機能付き包装体の実施例１の組立図とその断面図
【図３】本発明による緩衝機能付き包装体の参考例１のカートンブランク展開図
【図４】本発明による緩衝機能付き包装体の参考例１の組立図とその断面図
【図５】本発明による緩衝機能付き包装体の参考例２のカートンブランク展開図
【図６】本発明による緩衝機能付き包装体の参考例２の組立図とその断面図
【符号の説明】
１  底板
２  側板
３  折り込み片
４  中枠板
５  折り返し片
６  中仕切板
７  折り返し片
８  傾斜板
９  固定板
１０−１  本発明による緩衝機能付き包装体の実施例１のカートンブランク
１０−２  本発明による緩衝機能付き包装体の参考例１のカートンブランク
１０−３  本発明による緩衝機能付き包装体の参考例２のカートンブランク
１１  天板
１２  側板
１３〜１５  糊代
１６  差し込み片
１７  切り込み
１８  把手
１９  小折り返し片
２０−１  実施例１の本発明による緩衝機能付き包装体
２０−２  参考例１の緩衝機能付き包装体
２０−３  参考例２の緩衝機能付き包装体
ａ〜ｇ  折線
ｋ  切り込み
Ａ  商品収納部
Ｂ  中枠部
Ｃ  中仕切部
Ｄ  被せ蓋部
Ｆ  緩衝機能性フィルム
Ｍ  打ち抜き窓
Ｕ  打ち抜き穴
【図１】
0004060933.tif 000002
【図２】
0004060933.tif 000003
【図３】
0004060933.tif 000004
【図４】
0004060933.tif 000005
【図５】
0004060933.tif 000006
【図６】
0004060933.tif 000007